(57)【要約】【課題】  容易且つ短時間で受講者の出欠をとることが出来る教育支援方法を提供する。【解決手段】  本発明に係る教育支援方法は、受講者が使用すべき第１の端末装置２が、受講者の操作に応じて該受講者の識別情報を含む出席メールを教育管理サーバ１に送信するステップと、教育管理サーバ１が、前記出席メールを受信して該出席メールに含まれる識別情報を有する受講者の出席情報を該識別情報と対応づけて出席データベースに格納するステップと、講師が使用すべき第２の端末装置３が、講師の操作に応じて出席状況問合せコマンドメールを送信するステップと、教育管理サーバ１が、前記出席状況問合せコマンドメールを受信して出席データベースに格納されている出席情報に基づき受講者の出席状況を集計し、その集計結果情報を含む出席状況集計結果メールを前記第２の端末装置３に送信するステップとを具えている。【選択図】      図１
2005258922.tif 000002
【特許請求の範囲】
【請求項１】
受講者が使用すべき第１の端末装置と、講師が使用すべき第２の端末装置と、これら第１及び第２の端末装置とインターネットプロトコル網を介して通信を行なうことが可能な教育管理サーバとを具えた教育支援システムであって、教育管理サーバは、前記第１の端末装置から送信された、受講者に関する情報を受信して保持し、前記第２の端末装置から送信された問合せコマンドを受信したとき、保持している情報或いは該情報に応じた情報を前記第２の端末装置に送信する教育支援システム。
【請求項２】
受講者が使用すべき第１の端末装置と、講師が使用すべき第２の端末装置と、これら第１及び第２の端末装置とインターネットプロトコル網を介して通信を行なうことが可能な教育管理サーバとを具え、教育管理サーバは、各受講者について出席の有無を表わす出席情報を受講者の識別情報と対応づけて格納するための出席情報格納手段を具えている教育支援システムにおいて、
前記第１の端末装置が、受講者の操作に応じて、該受講者の識別情報を含む出席メールを教育管理サーバに送信するステップと、
教育管理サーバが、前記出席メールを受信して、該出席メールに含まれる識別情報を有する受講者の出席情報を該識別情報と対応づけて前記出席情報格納手段に格納する出席情報格納ステップと、
前記第２の端末装置が、講師の操作に応じて、出席状況問合せコマンドメールを送信するステップと、
教育管理サーバが、前記出席状況問合せコマンドメールを受信して、前記出席情報格納手段に格納されている出席情報に基づいて受講者の出席状況を集計し、その集計結果情報を含む出席状況集計結果メールを前記第２の端末装置に送信するステップ
とを具えている教育支援方法。
【請求項３】
前記出席情報格納ステップは、
出席メールを受信して、該出席メールのデータ構成に基づいて該出席メールの書式が正しいか否かを判断する判断ステップと、
出席メールの書式が正しいと判断したとき、該出席メールに含まれる識別情報を有する受講者の出席情報を前記出席情報格納手段に格納すると共に、その旨を含む出席登録メールを前記第１の端末装置に返信する返信ステップ
とを具えている請求項２に記載の教育支援方法。
【請求項４】
前記教育管理サーバは、各受講者について受講時の座席を表わす座席情報が受講者の識別情報と対応づけられて格納されている座席情報格納手段を具えており、前記出席情報格納ステップは、座席情報格納手段から、受信した出席メールに含まれる識別情報を有する受講者の座席情報を読み出すステップを具えており、前記返信ステップでは、該座席情報を含む出席登録メールを前記第１の端末装置に返信する請求項３に記載の教育支援方法。
【請求項５】
前記第１の端末装置が、受講者の操作に応じて、テスト問題に対する解答情報を含む解答メールを送信する解答メール送信ステップと、
教育管理サーバが、前記解答メールを受信して該メールに含まれる解答情報の正誤を判定し、その正誤判定結果情報を含む正誤判定結果メールを前記第１の端末装置に返信する正誤判定結果メール返信ステップ
とを具え、解答メール送信ステップ及び正誤判定結果メール返信ステップを、全問が正解となるまで繰り返す請求項４に記載の教育支援方法。
【請求項６】
前記教育管理サーバは、テスト問題に対する正答情報が格納されている正答情報格納手段を具えており、前記正誤判定結果メール返信ステップは、
解答メールを受信して、該解答メールに含まれる解答情報と前記正答情報格納手段に格納されている正答情報とを比較することによって、該解答情報の正誤を判定するステップと、
全問が正解であるか否かを判断するステップと、
全問が正解でない場合には、全問が正解となるまで解答メールの送信を繰り返すべき旨を含む正誤判定結果メールを前記第１の端末装置に返信する一方、全問が正解である場合には、その旨を含む正誤判定結果メールを前記第１の端末装置に返信するステップ
とを具えている請求項５に記載の教育支援方法。
【請求項７】
前記テスト問題は、テスト用紙に記載されており、前記教育管理サーバは、正誤判定結果情報を格納するための正誤判定結果情報格納手段を具えており、
教育管理サーバが、解答情報の正誤を判定した後、その正誤判定結果情報を前記正誤判定結果情報格納手段に格納するステップと、
前記第２の端末装置が、正誤判定結果問合せコマンドメールを送信するステップと、
教育管理サーバが、前記コマンドメールを受信して、前記正誤判定結果情報格納手段に格納されている正誤判定結果情報に基づき受講者の正誤判定結果を集計し、その集計結果情報を含む正誤判定集計結果メールを前記第２の端末装置に送信するステップ
とを具えている請求項６に記載の教育支援方法。
【請求項８】
前記第２の端末装置が、出席状況・正誤判定結果問合せコマンドメールを送信するステップと、
教育管理サーバが、前記コマンドメールを受信して、前記出席情報格納手段に格納されている出席情報に基づき受講者の出席状況を集計すると共に、前記正誤判定結果情報格納手段に格納されている正誤判定結果情報に基づき受講者の正誤判定結果を集計し、出席状況の集計結果情報及び正誤判定結果の集計結果情報を含む出席状況・正誤判定集計結果メールを前記第２の端末装置に送信するステップ
とを具えている請求項７に記載の教育支援方法。
【請求項９】
受講者が使用すべき第１の端末装置と、講師が使用すべき第２の端末装置と、これら第１及び第２の端末装置とインターネットプロトコル網を介して通信を行なうことが可能な教育管理サーバとを具え、教育管理サーバは、テスト問題に対する正答情報が格納されている正答情報格納手段と、テスト問題に対する受講者の解答の正誤判定結果情報を格納するための正誤判定結果情報格納手段とを具えている教育支援システムにおいて、
前記第１の端末装置が、受講者の操作に応じて、テスト問題に対する解答情報を含む解答メールを送信するステップと、
教育管理サーバが、該解答メールを受信して該解答メールに含まれる解答情報と前記正答情報格納手段に格納されている正答情報とを比較することによって、該解答情報の正誤を判定し、その正誤判定結果情報を前記正誤判定結果情報格納手段に格納するステップと、
前記第２の端末装置が、正誤判定結果問合せコマンドメールを送信するステップと、
教育管理サーバが、前記コマンドメールを受信して、前記正誤判定結果情報格納手段に格納されている正誤判定結果情報に基づき受講者の正誤判定結果を集計し、その集計結果情報を含む正誤判定集計結果メールを前記第２の端末装置に送信するステップ
とを具えていることを特徴とする教育支援システム。
【請求項１０】
受講者が使用すべき端末装置と、該端末装置とインターネットプロトコル網を介して通信を行なうことが可能な教育管理サーバとを具えている教育支援システムにおいて、
前記端末装置が、受講者の操作に応じて、テスト問題に対する解答情報を含む解答メールを送信する解答メール送信ステップと、
教育管理サーバが、前記解答メールを受信して該メールに含まれる解答情報の正誤を判定し、その正誤判定結果情報を含む正誤判定結果メールを前記端末装置に返信する正誤判定結果メール返信ステップ
とを具え、解答メール送信ステップ及び正誤判定結果返信ステップを、全問が正解となるまで繰り返すことを特徴とする教育支援方法。
【請求項１１】
前記教育管理サーバは、テスト問題に対する正答情報が格納されている正答情報格納手段を具えており、前記正誤判定結果メール返信ステップは、
解答メールを受信して、該解答メールに含まれる解答情報と前記正答情報格納手段に格納されている正答情報とを比較することによって、該解答情報の正誤を判定するステップと、
全問が正解であるか否かを判断するステップと、
全問が正解でない場合には、全問が正解となるまで解答メールの送信を繰り返すべき旨を含む正誤判定結果メールを前記端末装置に返信する一方、全問が正解である場合には、その旨を含む正誤判定結果メールを前記端末装置に返信するステップ
とを具えている請求項１０に記載の教育支援方法。
【請求項１２】
受講者が使用すべき端末装置と、該端末装置とインターネットプロトコル網を介して通信を行なうことが可能な教育管理サーバとを具え、教育管理サーバは、各受講者について出席の有無を表わす出席情報を受講者の識別情報と対応づけて格納するための出席情報格納手段を具えている教育支援システムにおいて、コンピュータを、受講者の出席情報を前記出席情報格納手段に格納する教育管理サーバとして機能させるための出席登録プログラムであって、
前記端末装置から送信された出席メールを受信して、該出席メールのデータ構成に基づいて該出席メールの書式が正しいか否かを判断する第１処理と、
出席メールの書式が正しいと判断したとき、該出席メールに含まれる識別情報を有する受講者の出席情報を該識別情報と対応づけて前記出席情報格納手段に格納すると共に、その旨を含む出席登録メールを前記端末装置に返信する第２処理
とをコンピュータに実行させるための出席登録プログラム。
【請求項１３】
前記教育管理サーバは、各受講者について受講時の座席を表わす座席情報が受講者の識別情報と対応づけられて格納されている座席情報格納手段を具えており、前記第１処理では、座席情報格納手段から、受信した出席メールに含まれる識別情報を有する受講者の座席情報を読み出し、前記第２処理では、該座席情報を含む出席登録メールを前記端末装置に返信する請求項１２に記載の出席登録プログラム。
【請求項１４】
講師が使用すべき端末装置と、該端末装置とインターネットプロトコル網を介して通信を行なうことが可能な教育管理サーバとを具え、教育管理サーバは、各受講者について出席の有無を表わす出席情報が受講者の識別情報と対応づけられて格納されている出席情報格納手段を具えている教育支援システムにおいて、コンピュータを、受講者の出席状況の集計結果を前記端末装置に送信する教育管理サーバとして機能させるための出席状況集計プログラムであって、
前記端末装置から送信された出席状況問合せコマンドメールを受信して、前記出席情報格納手段に格納されている出席情報に基づき受講者の出席状況を集計する処理と、
出席状況の集計結果情報を含む出席状況集計結果メールを前記端末装置に送信する処理
とをコンピュータに実行させるための出席状況集計プログラム。
【請求項１５】
受講者が使用すべき端末装置と、該端末装置とインターネットプロトコル網を介して通信を行なうことが可能な教育管理サーバとを具えている教育支援システムにおいて、コンピュータを、前記端末装置からテスト問題に対する解答情報を含む解答メールを受信して該解答情報の正誤判定を行なう教育管理サーバとして機能させるための正誤判定プログラムであって、
前記端末装置から送信された解答メールを受信して該解答メールに含まれる解答情報の正誤の判定を行ない、その正誤判定結果情報を含む正誤判定結果メールを前記端末装置に返信する処理
を、全問が正解となるまでコンピュータに繰り返し実行させるための正誤判定プログラム。
【請求項１６】
前記教育管理サーバは、テスト問題に対する正答情報が格納されている正答情報格納手段を具えており、前記処理は、
解答メールを受信して、該解答メールに含まれる解答情報と前記正答情報格納手段に格納されている正答情報とを比較することによって、該解答情報の正誤の判定を行なう処理と、
全問が正解であるか否かを判断する処理と、
全問が正解でない場合には、全問が正解となるまで解答メールの送信を繰り返すべき旨を含む正誤判定結果メールを前記端末装置に返信する一方、全問が正解である場合には、その旨を含む正誤判定結果メールを前記端末装置に返信する処理
とを具えている請求項１５に記載の正誤判定プログラム。
【請求項１７】
講師が使用すべき端末装置と、該端末装置とインターネットプロトコル網を介して通信を行なうことが可能な教育管理サーバとを具え、教育管理サーバは、テスト問題に対する受講者の解答の正誤判定結果情報が格納されている正誤判定結果情報格納手段を具えている教育支援システムにおいて、コンピュータを、受講者の正誤判定結果の集計結果を前記端末装置に送信する教育管理サーバとして機能させるための正誤判定結果集計プログラムであって、
前記端末装置から送信された正誤判定結果問合せコマンドメールを受信して、前記正誤判定結果情報格納手段に格納されている正誤判定結果情報に基づき受講者の正誤判定結果を集計する処理と、
正誤判定結果の集計結果情報を含む正誤判定集計結果メールを前記端末装置に送信する処理
とをコンピュータに実行させるための正誤判定結果集計プログラム。
【請求項１８】
講師が使用すべき端末装置と、該端末装置とインターネットプロトコル網を介して通信を行なうことが可能な教育管理サーバとを具え、教育管理サーバは、各受講者について出席の有無を表わす出席情報が受講者の識別情報と対応づけられて格納されている出席情報格納手段と、テスト問題に対する受講者の解答の正誤判定結果情報が格納されている正誤判定結果情報格納手段とを具えている教育支援システムにおいて、コンピュータを、受講者の出席状況の集計結果及び受講者の正誤判定結果の集計結果を前記端末装置に送信する教育管理サーバとして機能させるための出席状況・正誤判定結果集計プログラムであって、
前記端末装置から送信された出席状況・正誤判定結果問合せコマンドメールを受信して、前記出席情報格納手段に格納されている出席情報に基づき受講者の出席状況を集計すると共に、前記正誤判定結果情報格納手段に格納されている正誤判定結果情報に基づき受講者の正誤判定結果を集計する処理と、
出席状況の集計結果情報及び正誤判定結果の集計結果情報を含む出席状況・正誤判定集計結果メールを前記端末装置に送信する処理
とをコンピュータに実行させるための出席状況・正誤判定結果集計プログラム。
【請求項１９】
受講者が使用すべき第１の端末装置及び講師が使用すべき第２の端末装置とインターネットプロトコル網を介して通信を行なうことが可能な教育管理サーバであって、
各受講者について出席の有無を表わす出席情報を受講者の識別情報と対応づけて格納するための出席情報格納手段と、
前記第１の端末装置から送信された、受講者の識別情報を含む出席メールを受信したとき、該出席メールに含まれる識別情報を有する受講者の出席情報を該識別情報と対応づけて前記出席情報格納手段に格納する出席情報格納処理手段と、
前記第２の端末装置から送信された出席状況問合せコマンドメールを受信したとき、前記出席情報格納手段に格納されている出席情報に基づいて受講者の出席状況を集計する出席状況集計手段と、
出席状況の集計結果情報を含む出席状況集計結果メールを前記第２の端末装置に送信する手段
とを具えていることを特徴とする教育管理サーバ。
【請求項２０】
前記出席情報格納処理手段は、
出席メールを受信したとき、該出席メールのデータ構成に基づいて該出席メールの書式が正しいか否かを判断する手段と、
出席メールの書式が正しいと判断されたとき、該出席メールに含まれる識別情報を有する受講者の出席情報を前記出席情報格納手段に格納する手段と、
出席メールの書式が正しいと判断されたとき、出席情報を登録する旨を含む出席登録メールを前記第１の端末装置に返信する出席登録メール返信手段
とを具えている請求項１９に記載の教育管理サーバ。
【請求項２１】
各受講者について受講時の座席を表わす座席情報が受講者の識別情報と対応づけられて格納されている座席情報格納手段を具え、前記出席情報格納処理手段は、出席メールを受信したとき、座席情報格納手段から、該出席メールに含まれる識別情報を有する受講者の座席情報を読み出す情報読出し手段を具え、前記出席登録メール返信手段は、該座席情報を含む出席登録メールを前記第１の端末装置に返信する請求項２０に記載の教育管理サーバ。
【請求項２２】
前記第１の端末装置から送信された、テスト問題に対する解答情報を含む解答メールを受信して該解答メールに含まれる解答情報の正誤の判定を行ない、その正誤判定結果情報を含む正誤判定結果メールを前記第１の端末装置に返信する処理を、全問が正解となるまで繰り返す請求項２１に記載の教育管理サーバ。
【請求項２３】
テスト問題に対する正答情報が格納されている正答情報格納手段と、
前記第１の端末装置から送信された解答メールを受信したとき、該解答メールに含まれる解答情報と前記正答情報格納手段に格納されている正答情報とを比較することによって、該解答情報の正誤の判定を行なう手段と、
全問が正解であるか否かを判断する手段と、
全問が正解でないと判断された場合には、全問が正解となるまで解答メールの送信を繰り返すべき旨を含む正誤判定結果メールを前記第１の端末装置に返信する一方、全問が正解であると判断された場合には、その旨を含む正誤判定結果メールを前記第１の端末装置に返信する手段
とを具えている請求項２２に記載の教育管理サーバ。
【請求項２４】
前記テスト問題は、テスト用紙に記載されており、
テスト問題に対する受講者の解答の正誤判定結果情報を格納するための正誤判定結果情報格納手段と、
解答情報の正誤判定が行なわれた後、その正誤判定結果情報を前記正誤判定結果情報格納手段に格納する手段と、
前記第２の端末装置から送信された正誤判定結果問合せコマンドメールを受信したとき、前記正誤判定結果情報格納手段に格納されている正誤判定結果情報に基づき受講者の正誤判定結果を集計する手段と、
正誤判定結果の集計結果情報を含む正誤判定集計結果メールを前記第２の端末装置に送信する手段
とを具えている請求項２３に記載の教育管理サーバ。
【請求項２５】
前記第２の端末装置から送信された出席状況・正誤判定結果問合せコマンドメールを受信したとき、前記出席情報格納手段に格納されている出席情報に基づき受講者の出席状況を集計すると共に、前記正誤判定結果情報格納手段に格納されている正誤判定結果情報に基づき受講者の正誤判定結果を集計する手段と、
出席状況の集計結果情報及び正誤判定結果の集計結果情報を含む出席状況・正誤判定集計結果メールを前記第２の端末装置に送信する手段
とを具えている請求項２４に記載の教育管理サーバ。
【請求項２６】
受講者が使用すべき第１の端末装置及び講師が使用すべき第２の端末装置とインターネットプロトコル網を介して通信を行なうことが可能な教育管理サーバであって、
テスト問題に対する正答情報が格納されている正答情報格納手段と、
テスト問題に対する受講者の解答の正誤判定結果情報を格納するための正誤判定結果情報格納手段と、
前記第１の端末装置から送信された、テスト問題に対する解答情報を含む解答メールを受信したとき、該解答メールに含まれる解答情報と前記正答情報格納手段に格納されている正答情報とを比較することによって、該解答情報の正誤を判定する手段と、
その正誤判定結果情報を前記正誤判定結果情報格納手段に格納する手段と、
前記第２の端末装置から送信された正誤判定結果問合せコマンドメールを受信したとき、前記正誤判定結果情報格納手段に格納されている正誤判定結果情報に基づき受講者の正誤判定結果を集計する手段と、
その集計結果情報を含む正誤判定集計結果メールを前記第２の端末装置に送信する手段
とを具えていることを特徴とする教育管理サーバ。
【請求項２７】
受講者が使用すべき端末装置とインターネットプロトコル網を介して通信を行なうことが可能な教育管理サーバであって、前記端末装置から送信された、テスト問題に対する解答情報を含む解答メールを受信して該解答メールに含まれる解答情報の正誤の判定を行ない、その正誤判定結果情報を含む正誤判定結果メールを前記端末装置に返信する処理を、全問が正解となるまで繰り返すことを特徴とする教育管理サーバ。
【請求項２８】
テスト問題に対する正答情報が格納されている正答情報格納手段と、
前記端末装置から送信された解答メールを受信したとき、該解答メールに含まれる解答情報と前記正答情報格納手段に格納されている正答情報とを比較することによって、該解答情報の正誤の判定を行なう手段と、
全問が正解であるか否かを判断する手段と、
全問が正解でないと判断された場合には、全問が正解となるまで解答メールの送信を繰り返すべき旨を含む正誤判定結果メールを前記端末装置に返信する一方、全問が正解であると判断された場合には、その旨を含む正誤判定結果メールを前記端末装置に返信する手段
とを具えている請求項２７に記載の教育管理サーバ。
【発明の詳細な説明】
【技術分野】
【０００１】
本発明は、受講者が使用すべき携帯電話機やパーソナルコンピュータなどの端末装置と該端末装置と通信を行なうことが可能な教育管理サーバとを具えた教育支援システム、及び該システムにおける教育支援方法に関するものである。
【背景技術】
【０００２】
従来、大学の講義において、教員は、点呼により学生の出欠をとっている。或いは、学生に出席カードを配って該カードに学籍番号や氏名を記入させ、該カードを回収して名簿と照合することにより、学生の出欠をとっている。
又、小テストを実施した際には、学生から解答用紙を回収して採点を行なうと共に採点結果の集計を行なった後、採点済みの解答用紙を学生に返却して、採点集計結果に応じた講義を行なう。
【０００３】
尚、携帯電話機などの端末装置を利用した種々の教育システムが提案されている(例えば特許文献１〜５)。
【特許文献１】特開２００２−１０９１２８号公報
【特許文献２】特開２００３−３４５２３０号公報
【特許文献３】特開２００３−６６８２４号公報
【特許文献４】特開２００２−１３２１３２号公報
【特許文献５】特開２００２−３４１７４１号公報
【発明の開示】
【発明が解決しようとする課題】
【０００４】
しかしながら、従来の点呼により出欠をとる方法においては、学生を一人ずつ点呼するため、長い時間がかかる問題があった。又、出席カードにより出欠をとる方法においては、出席カードを回収して名簿と照合する作業が煩雑である問題があった。
又、小テストを実施した際には、教員は、学生の解答の正誤をチェックする作業やそのチェック結果の集計作業を行なわねばならず、これらの作業が煩雑であると共にこれらの作業に長い時間がかかる問題があった。
更に、学生は小テストの問題を一度解くだけであるので、高い学習効果が低い問題があった。
本発明の第１の目的は、容易且つ短時間で受講者の出欠をとることが出来る教育支援システム及び教育支援方法を提供することである。
又、本発明の第２の目的は、テストを実施した際に、受講者の解答の正誤をチェックする作業やそのチェック結果の集計作業が不要であり、然も短時間で学生の解答の正誤集計結果を得ることが出来る教育支援システム及び教育支援方法を提供することである。
更に、本発明の第３の目的は、受講者の学習効果を向上させることが出来る教育支援システム及び教育支援方法を提供することである。
【課題を解決するための手段】
【０００５】
本発明に係る第１の教育支援システムは、受講者が使用すべき第１の端末装置と、講師が使用すべき第２の端末装置と、これら第１及び第２の端末装置とインターネットプロトコル網を介して通信を行なうことが可能な教育管理サーバとを具え、教育管理サーバは、各受講者について出席の有無を表わす出席情報を受講者の識別情報と対応づけて格納するための出席情報格納手段を具えている。該システムにおける教育支援方法は、
前記第１の端末装置が、受講者の操作に応じて、該受講者の識別情報を含む出席メールを教育管理サーバに送信するステップと、
教育管理サーバが、前記出席メールを受信して、該出席メールに含まれる識別情報を有する受講者の出席情報を該識別情報と対応づけて前記出席情報格納手段に格納する出席情報格納ステップと、
前記第２の端末装置が、講師の操作に応じて、出席状況問合せコマンドメールを送信するステップと、
教育管理サーバが、前記出席状況問合せコマンドメールを受信して、前記出席情報格納手段に格納されている出席情報に基づいて受講者の出席状況を集計し、その集計結果情報を含む出席状況集計結果メールを前記第２の端末装置に送信するステップ
とを具えている。
【０００６】
本発明に係る第１の教育支援システムにおいては、受講者は、携帯電話機やパーソナルコンピュータなどの端末装置を用いて自己の識別情報を含む出席メールを教育管理サーバへ送信する。教育管理サーバでは、受講者の端末装置からの出席メールが受信されて、該メールに含まれる識別情報を有する受講者の出席情報が該識別情報と対応づけられて出席情報格納手段に格納される。その後、講師が携帯電話機やパーソナルコンピュータなどの端末装置を用いて出席状況問合せコマンドメールを教育管理サーバへ送信すると、教育管理サーバでは、前記出席情報格納手段に格納されている出席情報に基づいて受講者の出席状況が集計され、その集計結果情報を含む出席状況集計結果メールが講師の端末装置に送信される。その後、講師は、例えば該出席状況集計結果メールの内容をディスプレイに表示して、受講者の指名に利用する。
上記教育支援システムによれば、受講者がそれぞれ自己の端末装置を用いて出席メールを教育管理サーバに送信することにより出席の登録を行なうので、一人ずつ点呼することにより出席をとる従来の方法に比べて短時間で出席をとることが出来る。又、講師は、出席状況問合せコマンドメールを送る操作を行なうだけで学生の出席状況を知ることが出来る。
【０００７】
具体的には、前記出席情報格納ステップは、
出席メールを受信して、該出席メールのデータ構成に基づいて該出席メールの書式が正しいか否かを判断する判断ステップと、
出席メールの書式が正しいと判断したとき、該出席メールに含まれる識別情報を有する受講者の出席情報を前記出席情報格納手段に格納すると共に、その旨を含む出席登録メールを前記第１の端末装置に返信する返信ステップ
とを具えている。
【０００８】
上記具体的構成によれば、受講者は、自己の端末装置によって受信された出席登録メールの内容を例えばディスプレイに表示することにより、自己の出席情報が出席情報格納手段に格納されたことを確認することが出来る。
【０００９】
又、具体的には、前記教育管理サーバは、各受講者について受講時の座席を表わす座席情報が受講者の識別情報と対応づけられて格納されている座席情報格納手段を具えており、前記出席情報格納ステップは、座席情報格納手段から、受信した出席メールに含まれる識別情報を有する受講者の座席情報を読み出すステップを具えており、前記返信ステップでは、該座席情報を含む出席登録メールを前記第１の端末装置に返信する。
【００１０】
上記具体的構成においては、座席情報を含む出席登録メールを受講者に返信することにより受講者に座席を指定することによって、講義会場の入口付近における受講者の混雑を防止することが出来る。
【００１１】
又、具体的には、前記第１の端末装置が、受講者の操作に応じて、テスト問題に対する解答情報を含む解答メールを送信する解答メール送信ステップと、
教育管理サーバが、前記解答メールを受信して該メールに含まれる解答情報の正誤を判定し、その正誤判定結果情報を含む正誤判定結果メールを前記第１の端末装置に返信する正誤判定結果メール返信ステップ
とを具え、解答メール送信ステップ及び正誤判定結果メール返信ステップを、全問が正解となるまで繰り返す。
【００１２】
前記教育管理サーバは、テスト問題に対する正答情報が格納されている正答情報格納手段を具えており、前記正誤判定結果メール返信ステップは、
解答メールを受信して、該解答メールに含まれる解答情報と前記正答情報格納手段に格納されている正答情報とを比較することによって、該解答情報の正誤を判定するステップと、
全問が正解であるか否かを判断するステップと、
全問が正解でない場合には、全問が正解となるまで解答メールの送信を繰り返すべき旨を含む正誤判定結果メールを前記第１の端末装置に返信する一方、全問が正解である場合には、その旨を含む正誤判定結果メールを前記第１の端末装置に返信するステップ
とを具えている。
【００１３】
上記具体的構成においては、受講者は、テスト問題を解いて、自己の端末装置から該テスト問題に対する解答情報を含む解答メールを教育管理サーバに送信する。教育管理サーバでは、受講者からの解答メールが受信されて、該メールに含まれる解答情報の正誤が判定され、その正誤判定結果を含む正誤判定結果メールが前記受講者の端末装置に返信される。ここで、全問が正解でない場合には、全問が正解となるまで解答メールの送信を繰り返すべき旨が含まれる。そこで、受講者が、再びテスト問題を解いて、自己の端末装置から前回とは異なる解答情報を含む解答メールを教育管理サーバに送信すると、教育管理サーバでは、その解答情報の正誤が判定され、正誤判定結果メールが該受講者の端末装置に返信される。この様にして、受講者による解答メールの送信と教育管理サーバによる正誤判定結果メールの返信とが繰り返され、全問が正解となった時点で、その旨を含む正誤判定結果メールが教育管理サーバから受講者の端末装置に返信される。
上記具体的構成によれば、教育管理サーバによって受講者からの解答メールに含まれる解答情報の正誤が判定されるので、講師が受講者の解答の正誤をチェックする作業は不要となる。
又、受講者は、教育管理サーバからの正誤判定結果メールにより自己の解答の正誤を確認しつつ、全問が正解となるまでテスト問題を繰り返し解いて解答メールを教育管理サーバに送信することが出来るので、高い学習効果を得ることが出来る。
【００１４】
更に具体的には、前記テスト問題は、テスト用紙に記載されており、前記教育管理サーバは、正誤判定結果情報を格納するための正誤判定結果情報格納手段を具えており、
教育管理サーバが、解答情報の正誤を判定した後、その正誤判定結果情報を前記正誤判定結果情報格納手段に格納するステップと、
前記第２の端末装置が、正誤判定結果問合せコマンドメールを送信するステップと、
教育管理サーバが、前記コマンドメールを受信して、前記正誤判定結果情報格納手段に格納されている正誤判定結果情報に基づき受講者の正誤判定結果を集計し、その集計結果情報を含む正誤判定集計結果メールを前記第２の端末装置に送信するステップ
とを具えている。
【００１５】
上記具体的構成においては、教育管理サーバにて受講者の解答情報の正誤が判定されると、その正誤判定結果情報が該サーバの正誤判定結果情報格納手段に格納される。その後、講師が自己の端末装置を用いて正誤判定結果問合せコマンドメールを教育管理サーバへ送信すると、教育管理サーバでは、前記正誤判定結果情報格納手段に格納されている正誤判定情報に基づいて受講者の正誤判定結果が集計され、その集計結果情報を含む正誤判定集計結果メールが講師の端末装置に送信される。その後、講師は、例えば該正誤判定集計結果メールの内容に応じた講義を行なう。
上記具体的構成によれば、教育管理サーバによって受講者の正誤判定結果が集計されるので、講師が正誤のチェック結果を集計する作業は不要となると共に、短時間で正誤判定の集計結果を得ることが出来る。
又、テスト問題は、テスト用紙に記載されているので、受講者は講義に出席していなければテストを受けることが出来ない。従って、受講者が講義に出席していないにも拘わらず、講義会場外から不正に出席メールを教育管理サーバに送信した場合には、出席情報格納手段に格納されている出席情報は出席である旨を表わす一方、正誤判定結果情報は正誤判定結果情報格納手段に格納されていないこととなり、講師は、上述の出席状況集計結果メールの内容と正誤判定集計結果メールの内容とを比較することによって、受講者の前記不正行為を発見することが出来る。
【００１６】
更に又、具体的には、
前記第２の端末装置が、出席状況・正誤判定結果問合せコマンドメールを送信するステップと、
教育管理サーバが、前記コマンドメールを受信して、前記出席情報格納手段に格納されている出席情報に基づき受講者の出席状況を集計すると共に、前記正誤判定結果情報格納手段に格納されている正誤判定結果情報に基づき受講者の正誤判定結果を集計し、出席状況の集計結果情報及び正誤判定結果の集計結果情報を含む出席状況・正誤判定集計結果メールを前記第２の端末装置に送信するステップ
とを具えている。
【００１７】
上記具体的構成においては、講師が自己の端末装置を用いて出席状況・正誤判定結果問合せコマンドメールを教育管理サーバへ送信すると、教育管理サーバでは、前記出席情報格納手段に格納されている出席情報に基づいて受講者の出席状況が集計されると共に前記正誤判定結果情報格納手段に格納されている正誤判定情報に基づいて受講者の正誤判定結果が集計され、それらの集計結果情報を含む出席状況・正誤判定集計結果メールが講師の端末装置に送信される。その後、講師は、例えば該メールの内容に基づいて受講者の成績処理を行なう。
【００１８】
本発明に係る第２の教育支援システムは、受講者が使用すべき第１の端末装置と、講師が使用すべき第２の端末装置と、これら第１及び第２の端末装置とインターネットプロトコル網を介して通信を行なうことが可能な教育管理サーバとを具え、教育管理サーバは、テスト問題に対する正答情報が格納されている正答情報格納手段と、テスト問題に対する受講者の解答の正誤判定結果情報を格納するための正誤判定結果情報格納手段とを具えている。該システムにおける教育支援方法は、
前記第１の端末装置が、受講者の操作に応じて、テスト問題に対する解答情報を含む解答メールを送信するステップと、
教育管理サーバが、該解答メールを受信して該解答メールに含まれる解答情報と前記正答情報格納手段に格納されている正答情報とを比較することによって、該解答情報の正誤を判定し、その正誤判定結果情報を前記正誤判定結果情報格納手段に格納するステップと、
前記第２の端末装置が、正誤判定結果問合せコマンドメールを送信するステップと、
教育管理サーバが、前記コマンドメールを受信して、前記正誤判定結果情報格納手段に格納されている正誤判定結果情報に基づき受講者の正誤判定結果を集計し、その集計結果情報を含む正誤判定集計結果メールを前記第２の端末装置に送信するステップ
とを具えている。
【００１９】
本発明に係る第２の教育支援システムにおいては、受講者は、テスト問題を解いて、自己の携帯電話機やパーソナルコンピュータなどの端末装置から該テスト問題に対する解答情報を含む解答メールを教育管理サーバに送信する。教育管理サーバでは、受講者からの解答メールが受信されて、該メールに含まれる解答情報の正誤が判定され、その正誤判定結果情報が該サーバの正誤判定結果情報格納手段に格納される。その後、講師が自己の携帯電話機やパーソナルコンピュータなどの端末装置を用いて正誤判定結果問合せコマンドメールを教育管理サーバへ送信すると、教育管理サーバでは、前記正誤判定結果情報格納手段に格納されている正誤判定情報に基づいて受講者の正誤判定結果が集計され、その集計結果情報を含む正誤判定集計結果メールが講師の端末装置に送信される。その後、講師は、例えば該正誤判定集計結果メールの内容に応じた講義を行なう。
上記具体的構成によれば、教育管理サーバによって受講者からの解答メールに含まれる解答情報の正誤が判定されるので、講師が受講者の解答の正誤をチェックする作業は不要となる。又、教育管理サーバによって受講者の正誤判定結果が集計されるので、講師が正誤のチェック結果を集計する作業は不要となると共に、短時間で正誤判定の集計結果を得ることが出来る。
【００２０】
本発明に係る第３の教育支援システムは、受講者が使用すべき端末装置と、該端末装置とインターネットプロトコル網を介して通信を行なうことが可能な教育管理サーバとを具えている。該システムにおける教育支援方法は、
前記端末装置が、受講者の操作に応じて、テスト問題に対する解答情報を含む解答メールを送信する解答メール送信ステップと、
教育管理サーバが、前記解答メールを受信して該メールに含まれる解答情報の正誤を判定し、その正誤判定結果情報を含む正誤判定結果メールを前記端末装置に返信する正誤判定結果メール返信ステップ
とを具え、解答メール送信ステップ及び正誤判定結果返信ステップを、全問が正解となるまで繰り返す。
【００２１】
前記教育管理サーバは、テスト問題に対する正答情報が格納されている正答情報格納手段を具えており、前記正誤判定結果メール返信ステップは、
解答メールを受信して、該解答メールに含まれる解答情報と前記正答情報格納手段に格納されている正答情報とを比較することによって、該解答情報の正誤を判定するステップと、
全問が正解であるか否かを判断するステップと、
全問が正解でない場合には、全問が正解となるまで解答メールの送信を繰り返すべき旨を含む正誤判定結果メールを前記端末装置に返信する一方、全問が正解である場合には、その旨を含む正誤判定結果メールを前記端末装置に返信するステップ
とを具えている。
【００２２】
本発明に係る第３の教育支援システムにおいては、受講者は、テスト問題を解いて、自己の携帯電話機やパーソナルコンピュータなどの端末装置から該テスト問題に対する解答情報を含む解答メールを教育管理サーバに送信する。教育管理サーバでは、受講者からの解答メールが受信されて、該メールに含まれる解答情報の正誤が判定され、その正誤判定結果を含む正誤判定結果メールが前記受講者の端末装置に返信される。ここで、全問が正解でない場合には、全問が正解となるまで解答メールの送信を繰り返すべき旨が含まれる。そこで、受講者が、再びテスト問題を解いて、自己の端末装置から前回とは異なる解答情報を含む解答メールを教育管理サーバに送信すると、教育管理サーバでは、その解答情報の正誤が判定され、正誤判定結果メールが受講者の端末装置に返信される。この様にして、受講者による解答メールの送信と教育管理サーバによる正誤判定結果メールの返信とが繰り返され、全問が正解となった時点で、その旨を含む正誤判定結果メールが教育管理サーバから該受講者の端末装置に返信される。
上記教育支援システムによれば、教育管理サーバによって受講者からの解答メールに含まれる解答情報の正誤が判定されるので、講師が受講者の解答の正誤をチェックする作業は不要となる。
又、受講者は、教育管理サーバからの正誤判定結果メールにより自己の解答の正誤を確認しつつ、全問が正解となるまでテスト問題を繰り返し解いて解答メールを教育管理サーバに送信することが出来るので、高い学習効果を得ることが出来る。
【発明の効果】
【００２３】
本発明に係る第１の教育支援システム及び教育支援方法によれば、容易且つ短時間で受講者の出欠をとることが出来る。
又、本発明に係る第２の教育支援システム及び教育支援方法によれば、テストを実施した際に、受講者の解答の正誤をチェックする作業やそのチェック結果の集計作業が不要であり、然も短時間で学生の解答の正誤集計結果を得ることが出来る。
更に、本発明に係る第３の教育支援システム及び教育支援方法によれば、受講者の学習効果を向上させることが出来る。
【発明を実施するための最良の形態】
【００２４】
本発明を大学や学習塾等の教育機関における教育支援システムに実施した形態につき、図面に沿って具体的に説明する。
図１は、本発明に係る教育支援システムの構成を表わしており、学生が所持する携帯電話機(２)と、教員が所持する携帯電話機(３)と、教員室に設置されている出席・小テスト管理サーバ(１)とから構成されており、これらの機器はインターネットプロトコル網(図示省略)によって互いに繋がれている。
携帯電話機(２)(３)及び出席・小テスト管理サーバ(１)は電子メール機能を有しており、学生の携帯電話機(２)と教員の携帯電話機(３)と出席・小テスト管理サーバ(１)との間で、後述の如く電子メールの送受信が行なわれる。
【００２５】
学生の携帯電話機(２)から出席・小テスト管理サーバ(１)に出席メールが送信されると、該サーバ(１)では、前記学生の出席の登録が行なわれると共に、出席登録メールが作成されて前記学生の携帯電話機(２)に返信される。その後、教員の携帯電話機(３)から出席・小テスト管理サーバ(１)に出席状況問合せコマンドメールが送信されると、該サーバ(１)では、学生の出席状況が集計され、その集計結果を表わす出席状況集計結果メールが作成されて前記教員の携帯電話機(２)に送信される。
又、学生の携帯電話機(２)から出席・小テスト管理サーバ(１)に小テストの解答メールが送信されると、該サーバ(１)では、小テストの採点が行なわれ、その採点結果を表わす採点結果メールが作成されて前記学生の携帯電話機(２)に返信される。学生による解答メールの送信処理と出席・小テスト管理サーバ(１)による採点結果メールの送信処理は、採点結果が満点となるまで繰り返される。その後、教員の携帯電話機(３)から出席・小テスト管理サーバ(１)に採点結果問合せコマンドメールが送信されると、該サーバ(１)では、小テストの採点結果が集計され、その集計結果を表わす採点集計結果メールが作成されて前記教員の携帯電話機(３)に送信される。
更に、教員の携帯電話機(３)或いはパーソナルコンピュータ(図示省略)から出席・小テスト管理サーバ(１)に出席状況・採点結果問合せコマンドメールが送信されると、該サーバ(１)では、学生の出席状況が集計されると共に小テストの採点結果が集計され、それらの集計結果を表わす出席状況・採点集計結果メールが作成されて前記教員の携帯電話機(３)或いはパーソナルコンピュータに送信される。
【００２６】
更に又、学生の携帯電話機(２)から出席・小テスト管理サーバ(１)にアンケート回答メールが送信されると、該サーバ(１)では、アンケートの回答が登録されると共に、回答登録メールが作成されて前記学生の携帯電話機(２)に返信される。その後、教員の携帯電話機(３)から出席・小テスト管理サーバ(１)にアンケート回答問合せコマンドメールが送信されると、該サーバ(１)では、アンケートの回答結果が集計され、その集計結果を表わすアンケート集計結果メールが作成されて前記教員の携帯電話機(３)及びアンケートに回答した学生の携帯電話機(２)に送信される。
【００２７】
図２は、上記出席・小テスト管理サーバ(１)の機能構成を表わしており、該サーバ(１)は、出欠管理機能、小テスト採点・管理機能、アンケート集計機能、及び総合管理機能の４つの機能を有している。
出欠管理機能は、出席メールを受信して、座席番号や出席履歴を含む出席登録メールを返信した後、出席情報をデータベースに格納する出席登録機能(11)と、コマンドメールを受信して、学生の出席状況を集計した後、出席状況集計結果メールを送信する出席集計機能(12)とから構成されている。
小テスト採点・管理機能は、解答メールを受信して、小テストの採点を行なうと共に採点結果の順位付けを行なった後、採点結果メールを返信すると共に採点結果情報をデータベースに格納する小テスト採点機能(13)と、コマンドメールを受信して、設問毎に正誤判定の結果を集計すると共に過去に行なわれた全ての小テストの採点結果を集計した後、採点集計結果メールを送信する小テスト集計機能(14)とから構成されている。
アンケート集計機能は、アンケート回答メールを受信して、回答情報をデータベースに格納する機能(15)と、コマンドメールを受信して、アンケートの回答結果を集計した後、アンケート集計結果メールを送信する機能(16)とから構成されている。
総合管理機能は、コマンドメールを受信して、或いはコマンド入力に応じて、学生の出席状況及び小テストの採点結果の集計を行なった後、出席状況・採点集計結果メールを送信する機能(17)から構成されている。
【００２８】
図３は、上記出席・小テスト管理サーバ(１)のハードウエア構成を表わしており、該サーバ(１)においては、図示の如く、ＣＰＵ(４)に、メモリ(５)、ディスプレイ(６)、キーボード(７)及びハードディスクドライブ装置(８)が接続されている。ハードディスクドライブ装置(８)には、出席データベース(81)、名簿データベース(82)、小テストデータベース(83)、正答データベース(84)及びアンケートデータベース(85)が格納されている。これらのデータベースには夫々、後述のデータが格納される。
出席データベース(81)
講義番号、学籍番号、氏名、電子メールアドレス、出席登録メールの送信日時、出席メールの受信日付、出席メールの受信時刻
名簿データベース(82)
学籍番号、氏名、座席番号
小テストデータベース(83)
テスト番号、学籍番号、電子メールアドレス、採点結果メールの送信先アドレス、採点結果メールの送信日時、解答メールの受信日付、解答メールの受信時刻、設問数、正答数(得点)、満点となった順位、学生による解答、解答の正誤
正答データベース(84)
テスト番号、正答
アンケートデータベース(85)
アンケート番号、学籍番号、電子メールアドレス、回答登録メールの送信先アドレス、回答登録メールの送信日時、アンケート回答メールの受信日付、アンケート回答メールの受信時刻、学生による回答
【００２９】
又、上記ハードディスクドライブ装置(８)には、後述の出席登録プログラム(110)、出席集計プログラム(120)、小テスト作成プログラム(180)、小テスト採点プログラム(130)、小テスト集計プログラム(140)、クロス集計プログラム(170)、アンケート記録プログラム(150)及びアンケート集計プログラム(160)が格納されている。
【００３０】
本発明に係る教育支援システムにおいては、教員は、初回の講義の開始前に予め、該講義を受けるべき学生の学籍番号、氏名及び座席番号を名簿データベース(82)に登録しておく。又、図４に示す如き学生の座席指定表を作成してハードディスクドライブ装置(８)に格納しておく。
【００３１】
出欠管理機能
講義の開始後、先ず、学生は出席の登録のための手続きを行なう。
図５は、学生と教員と出席・小テスト管理サーバ(１)との間で行なわれる出席登録のための手続きを表わしており、ステップＳ１にて、教員が学生に出席登録を行なうべき指示を行ない、ステップＳ２では、学生が携帯電話機(２)に対して出席メールを作成する操作及びメール送信操作を行なうことにより、該メールが学生の携帯電話機(２)から出席・小テスト管理サーバ(１)へ送信される。例えば、学籍番号及び氏名を含む「＠１２３４５６田中一郎」なる内容の出席メールが作成されて送信される。その後、ステップＳ３では、出席・小テスト管理サーバ(１)から出席登録メール或いはエラーメールが学生の携帯電話機(２)に返信される。
【００３２】
図６は、上記ステップＳ３において出席登録プログラム(110)により実行される具体的手続きを表わしており、ステップＳ３００にて、学生の携帯電話機(２)からの出席メールを受信すると、ステップＳ３０１では、受信メールの解析を行なって、該受信メールから学籍番号、氏名、電子メールアドレスを抽出する。
次にステップＳ３０２では、メールの受信日付及び受信時刻をメモリ(５)に記録した後、ステップＳ３０３では、名簿データベース(82)から前記抽出した学籍番号を有する学生の氏名及び座席番号を取り出す。
続いてステップＳ３０４では、受信メールのデータ構成に基づいて、該メールの書式のチェックを行なう。出席メールの内容が「＠１２３４５６田中一郎」である上述の例では、受信メールがアットマーク＠と学籍番号と氏名とから構成されているか否かに基づいて書式のチェックが行なわれる。その後、ステップＳ３０５では、受信メールの書式が正しいか否かを判断し、書式が誤っている場合には、ステップＳ３０６にてエラーメールを学生の携帯電話機(２)に返信して、手続きを終了する。これによって学生の携帯電話機(２)の画面には、例えば図７に示す如き内容のエラーメールが表示される。
【００３３】
これに対し、受信メールの書式が正しい場合には、ステップＳ３０７にて、出席データベース(81)から過去の講義についての出席情報(出席メールの受信日付、出席メールの受信時刻を含む)を読み出し、読み出した出席情報に基づき、出席を登録した旨、座席番号及び出席履歴情報を含む出席登録メールを作成して学生の携帯電話機(２)に返信する。これによって学生の携帯電話機(２)の画面には、例えば図８に示す如き内容の出席登録メールが表示される。図８に示す例では、学籍番号、氏名、出席を登録した旨、座席番号、受講上の注意、過去の出席回数、出席履歴及び格言が表示される。その後、図６のステップＳ３０８では、ステップＳ３０２にてメモリ(５)に記録したメール受信日付及び受信時刻を出席データベース(81)に格納して、手続きを終了する。
上記手続きによって、学生の出席の登録が行なわれる。
【００３４】
その後、教員は、学生の出席状況の集計結果を取得するための手続きを行なう。
図９は、出席状況の集計結果の取得時に教員と出席・小テスト管理サーバ(１)との間で行なわれる手続きを表わしており、ステップＳ４にて、教員が携帯電話機(３)に対して出席状況問合せコマンドメールを作成する操作及びメール送信操作を行なうことにより、該コマンドメールが教員の携帯電話機(３)から出席・小テスト管理サーバ(１)へ送信される。ステップＳ５では、出席・小テスト管理サーバ(１)により学生の出席状況が集計されて、出席状況集計結果メールが教員の携帯電話機(３)に送信され、次のステップＳ６にて、該集計結果メールが教員の携帯電話機(３)により受信される。その後、ステップＳ７では、その集計結果が教員により学生の指名に利用される。
【００３５】
図１０は、上記ステップＳ５において出席集計プログラム(120)により実行される具体的手続きを表わしており、ステップＳ５００にて、教員の携帯電話機(３)からの出席状況問合せコマンドメールが受信されると、ステップＳ５０１では、受信メールから出席状況の集計対象とする講義番号(授業番号)を抽出する。
次にステップＳ５０２では、出席データベース(81)から、該講義番号を有する講義の受講生の学籍番号及び出席情報を読み出し、ステップＳ５０３では、名簿データベース(82)から、前記読み出した学籍番号を有する学生の氏名及び座席番号を読み出す。
【００３６】
続いてステップＳ５０４では、上述の如く読み出した出席情報に基づいて、現時点までに行なわれた全回の講義についての第１出席履歴情報を作成した後、ステップＳ５０５では、上述の如く読み出した出席情報に基づいて、直近３回分の講義についての第２出席履歴情報を作成する。次にステップＳ５０６では、集計対象となっている今回の講義に出席している学生の学生情報(学籍番号、氏名、座席番号)を出席登録の早い順に並べて第１出席状況情報を作成した後、ステップＳ５０７では、今回の講義に出席している学生の学生情報を出席登録の遅い順に並べて第２出席状況情報を作成する。最後にステップＳ５０８にて、上述の如く作成した出席履歴情報及び出席状況情報を含む出席状況集計結果メールを作成して教員の携帯電話機(３)に送信し、手続きを終了する。これによって、教員の携帯電話機(３)の画面には、図１１に示す如き内容の出席状況集計結果メールが表示される。図１１に示す例では、第１及び第２出席状況情報として夫々、出席登録の早い順に付与された連番、学籍番号、氏名及び座席番号が表示されると共に、第１及び第２出席履歴情報として夫々、学籍番号の小さい順に付与された連番、学籍番号、氏名、出席日付及び出席日数が表示される。
【００３７】
上述の如く、学生がそれぞれ自己の携帯電話機(２)を用いて出席メールを出席・小テスト管理サーバ(１)に送信することにより出席の登録を行なうので、一人ずつ点呼することにより出欠をとる従来の方法に比べて短時間で出席をとることが出来る。
又、教員は、出席状況問合せコマンドメールを送る操作を行なうだけで、学生の出席状況を知ることが出来る。
更に、座席番号を含む出席登録メールを学生に返信することにより学生に座席が指定されるので、教室の入口付近における学生の混雑が防止される。
更に又、教員は、上述の如く出席・小テスト管理サーバ(１)のハードディスクドライブ装置(８)に格納されている座席表データを自己の携帯電話機(３)にダウンロードし、該座席表データと教室内の実際の空席状況と比較すれば、教室外から不正に出席登録を行なった学生を発見することが出来る。
【００３８】
小テスト採点・管理機能
教員は、講義開始前に予め、小テストの問題を作成するための手続きを行なう。
図１２は、小テスト問題作成のための手続きを表わしており、ステップＳ８にて、教員が出席・小テスト管理サーバ(１)に対し穴埋め問題の作成に必要な問題文を入力する操作を行なうと、ステップＳ９にて、小テスト作成プログラム(180)により小テストの問題が作成される。その後、ステップＳ１０では、教員が出席・小テスト管理サーバ(１)に対し印刷操作を行なうことにより、作成された問題が用紙に印刷される。例えば、図１３に示す如きテスト用紙が印刷される。又、上述の如く問題が作成された後、図１２のステップＳ１１では、教員が出席・小テスト管理サーバ(１)に対しテスト番号及び作成された問題の正答を入力する操作を行なうと、該テスト番号及び正答が正答データベース(84)に格納される。
【００３９】
その後、教員は、講義中に、上述の如く得られたテスト用紙を学生に配布して小テストを実施する。
図１４は、教員と学生と出席・小テスト管理サーバ(１)との間で行なわれる小テスト実施手続きを表わしており、ステップＳ１２にて、教員によりテスト用紙が学生に配布されると、ステップＳ１３では、学生がテスト用紙に記載されている問題を解く。次にステップＳ１４では、学生が携帯電話機(２)に対して解答メールを作成する操作及びメール送信操作を行なうことにより、該メールが学生の携帯電話機(２)から出席・小テスト管理サーバ(１)へ送信される。例えば、学籍番号、テスト番号及び解答番号を含む「＠１２３４５６１００３０１２３４５６７８９」なる内容の解答メールが作成されて送信される。その後、ステップＳ１５では、出席・小テスト管理サーバ(１)により小テストの採点が行なわれて、採点結果メール或いはエラーメールが学生の携帯電話機(２)に返信されると共に、採点結果情報が小テストデータベース(83)に格納される。
【００４０】
図１５は、上記ステップＳ１５において小テスト採点プログラム(130)により実行される具体的手続きを表わしており、ステップＳ１５０にて、学生からの解答メールが受信されると、ステップＳ１５１では、受信メールの解析を行なって、該メールから学籍番号、テスト番号、解答及び電子メールアドレスを抽出する。
次にステップＳ１５２では、メールの受信日付及び受信時刻をメモリ(５)に記録した後、ステップＳ１５３にて、メンテナンスモードのオン／オフ状態のチェックを行なう。ここで、メンテナンスモードは、プログラムやデータベースのメンテナンス作業のため、及び講義中に長時間に亘って学生が解答メールを繰り返し送信することを防止するためにオンに設定される。
メンテナンスモードがオフの場合には、ステップＳ１５４にて、正答データベース(84)から、前記抽出したテスト番号を有する小テストの正答を読み出し、ステップＳ１５５では、読み出した正答に基づき小テストの採点を行なう。ここで、読み出した正答と前記抽出した解答とを比較することによって該解答の正誤を判定し、その判定結果から得点及び正答率を算出する。
【００４１】
続いてステップＳ１５６では、小テストデータベース(83)から、前記抽出した学籍番号を有する学生の、前記小テストについての過去の採点結果情報(解答メールの受信日付、解答メールの受信時刻、設問数、正答数(得点)、満点となった順位を含む)を読み出すと共に過去に行なった他の小テストについての採点結果情報を読み出し、ステップＳ１５７では、名簿データベース(82)から、前記学籍番号を有する学生の氏名及び座席番号を読み出す。
次にステップＳ１５８では、受信メールのデータ構成に基づいて、該メールの書式のチェックを行なう。解答メールの内容が「＠１２３４５６１００３０１２３４５６７８９」である上述の例では、受信メールがアットマーク＠、学籍番号、テスト番号及び解答番号から構成されているか否かに基づいて書式のチェックが行なわれる。その後、ステップＳ１５９では、受信メールの書式が正しいか否かを判断し、書式が誤っている場合には、ステップＳ１６０にてエラーメールを学生の携帯電話機(２)に返信して、手続きを終了する。これによって学生の携帯電話機(２)の画面には、例えば図１６に示す如き内容のエラーメールが表示される。
【００４２】
これに対し、受信メールの書式が正しい場合には、図１５のステップＳ１６１にて、今回の得点が満点か否かを判断し、ノーの場合は、ステップＳ１６２にて、上述のステップＳ１５５にて得られた採点結果とステップＳ１５６にて読み出された採点結果情報とに基づき、今回の採点結果、満点になるまで再送すべき旨及び過去の採点結果の履歴を含む採点結果メールを作成して、学生の携帯電話機(２)に返信する。これによって学生の携帯電話機(２)の画面には、例えば図１７に示す如き内容の採点結果メールが表示される。図１７に示す例では、学籍番号、氏名、テスト番号、今回の解答、解答の正誤判定結果、得点、正答率、満点になるまで再送すべき旨のメッセージ、及び過去の得点が表示される。その後、図１５のステップＳ１７０では、上述のステップＳ１５２にてメモリ(５)に記録した解答メール受信日付及び受信時刻と、上述のステップＳ１５５にて得られた採点結果を小テストデータベース(83)に格納して、手続きを終了する。
【００４３】
今回の得点が満点である場合には、ステップＳ１６３に移行して、小テストデータベース(83)から前記抽出されたテスト番号を有する小テストについての採点結果情報を読み出し、該採点結果情報に基づき得点が満点である学生の数を満点となった順にカウントして満点順位を導出した後、ステップＳ１６４では、小テストデータベース(83)から、該小テストの得点が満点である採点結果情報に含まれる解答メール受信時刻の内、最も早い受信時刻を読み出し、該受信時刻と上述のステップＳ１５２にてメモリ(５)に記録した解答メール受信時刻との差を算出する。
【００４４】
次にステップＳ１６５では、該小テストの実施日以外であって、且つ１回目で満点であるか否かを判断し、イエスの場合はステップＳ１６６に移行して、上述のステップＳ１５５にて得られた採点結果に基づき採点結果メールを作成して、学生の携帯電話機(２)に返信する。これによって学生の携帯電話機(２)の画面には、例えば図１８に示す如き内容の採点結果メールが表示される。図１８に示す例では、学籍番号、氏名、テスト番号、今回の解答、解答の正誤判定結果、得点、正答率、満点となった順位、及び自力で小テストを解くべきである旨の警告メッセージが表示される。その後、図１５のステップＳ１７０では、上述のステップＳ１５２にてメモリ(５)に記録した解答メール受信日付及び受信時刻と、上述のステップＳ１５５にて得られた採点結果とを小テストデータベース(83)に格納して、手続きを終了する。
【００４５】
一方、ステップＳ１６５にてノーと判断された場合には、ステップＳ１６７に移行して、採点対象となっている小テストについて得点が満点である採点結果情報が小テストデータベース(83)に登録されているか否かを判断する。ここでイエスと判断された場合には、ステップＳ１６８にて、上述のステップＳ１５５にて得られた採点結果とステップＳ１５６にて読み出された採点結果情報とに基づき採点結果メールを作成して、学生の携帯電話機(２)に返信する。これによって学生の携帯電話機(２)の画面には、例えば図１９に示す如き内容の採点結果メールが表示される。図１９に示す例では、学籍番号、氏名、テスト番号、今回の解答、解答の正誤判定結果、得点、正答率、登録済みである旨のメッセージ、過去の得点、過去に実施された小テストのテスト番号、最終回の正答率及び満点となった順位が表示される。
【００４６】
図１５のステップＳ１６７にてノーと判断された場合には、ステップＳ１６９にて、上述のステップＳ１５５にて得られた採点結果とステップＳ１５６にて読み出された採点結果情報とステップＳ１６３及びＳ１６４にてそれぞれ得られた満点順位及び時間差とに基づき、今回の採点結果、満点である旨、満点順位、１位との時間差及び過去の採点結果の履歴を含む採点結果メールを作成して、学生の携帯電話機(２)に返信する。これによって、例えば１回目で満点をとった学生の携帯電話機(２)の画面には、図２０に示す如き内容の採点結果メールが表示される。図２０に示す例では、学籍番号、氏名、テスト番号、今回の解答、解答の正誤判定結果、得点、正答率、満点である旨、満点となった順位、１位との時間差、過去に実施された小テストのテスト番号、最終回の正答率及び満点となった順位が表示される。その後、図１５のステップＳ１７０では、上述のステップＳ１５２にてメモリ(５)に記録した解答メール受信日付及び受信時刻と、上述のステップＳ１５５にて得られた採点結果を小テストデータベース(83)に格納して、手続きを終了する。
【００４７】
その後、教員は、小テストの採点集計結果を取得するための手続きを行なう。
図２１は、小テストの採点集計結果の取得時に教員と出席・小テスト管理サーバ(１)との間で行なわれる手続きを表わしており、ステップＳ１６にて、教員が携帯電話機(３)に対して採点結果問合せコマンドメールを作成する操作及びメール送信操作を行なうことにより、該コマンドメールが教員の携帯電話機(３)から出席・小テスト管理サーバ(１)へ送信される。ステップＳ１７では、出席・小テスト管理サーバ(１)により小テストの採点結果が集計されて、採点集計結果メールが教員の携帯電話機(３)に返信され、ステップＳ１８にて、該集計結果メールが教員の携帯電話機(３)にて受信される。その後、ステップＳ１９では、教員により、該集計結果に基づいて小テストの解説が行なわれると共に小テストの成績が公表される。
【００４８】
図２２は、上記ステップＳ１７において小テスト集計プログラム(140)により実行される具体的手続きを表わしており、ステップＳ１７１にて、教員の携帯電話機(３)からの採点結果問合せコマンドメールを受信すると、ステップＳ１７２では、受信メールからテスト番号を抽出する。
続いてステップＳ１７３では、小テストデータベース(83)から、前記抽出したテスト番号を有する小テストについて学籍番号及び採点結果情報を読み出した後、ステップＳ１７４では、読み出した採点結果情報に基づいて設問毎に正答数をカウントし、ステップＳ１７５では、前記読み出した採点結果情報から、学生毎に解答メール受信回数、解答メール受信時刻、及び満点となった時刻を導出する。
【００４９】
次にステップＳ１７６では、名簿データベース(82)から、前記読み出した学籍番号を有する学生の氏名及び座席番号を読み出し、ステップＳ１７７にて、前記読み出した採点結果情報に基づいて、１回目の平均得点、設問毎の正答数、正答率及び得点度数分布を算出した後、ステップＳ１７８にて、前記読み出した採点結果情報に基づいて、最終回の平均得点、設問毎の正答数、正答率及び得点度数分布を算出する。
続いてステップＳ１７９では、出席データベース(81)から、前記小テスト番号を有する小テストの実施日について学籍番号及び出席情報を読み出し、ステップＳ１８０では、上述の如くステップＳ１７３にて読み出した学籍番号とステップＳ１７９にて読み出した学籍番号との比較を行なった後、ステップＳ１８１に移行する。
ステップＳ１８１では、ステップＳ１７３にて読み出した学籍番号の中から小テストが満点となっていない学生の学籍番号を抽出すると共に、ステップＳ１７９にて読み出した学籍番号の中からステップＳ１７３にて読み出した学籍番号に含まれていない学籍番号、即ち出席の登録は行なっているが小テストの解答メールを送信していない学生の学籍番号を抽出する。
【００５０】
その後、ステップＳ１８２では、前記読み出した採点結果情報に基づいて、学生の氏名及び座席番号を小テストの得点が満点になった順に並び替え、ステップＳ１８３では、小テストータベース(83)から、集計対象となっている小テストの前に行なった小テストについての採点結果情報を読み出し、読み出した採点結果情報に基づいて、学生の氏名及び座席番号を、前回の小テストからの上昇順位が大きい順に並べ替える。
最後にステップＳ１８４では、上述のステップＳ１７７、Ｓ１７８、Ｓ１８１〜Ｓ１８３にて得られた結果に基づいて小テストの集計結果メールを作成して、教員の携帯電話機(３)に送信する。これによって教員の携帯電話機(３)の画面には、例えば図２３に示す如き内容の小テスト集計結果メールが表示される。図２３に示す例では、１回目の平均得点、設問毎の正答数、正答率及び得点度数分布と、最終回の平均得点、設問毎の正答数、正答率及び得点度数分布と、満点が得られていない学生の氏名及び座席番号とが表示される。又、満点になった時刻、解答回数、座席番号及び氏名が満点となった順に表示され、氏名、前回の小テストの順位との差、集計対象となっている小テストの得点及び前回の小テストの得点が、前回の小テストからの上昇順位が大きい順に表示される。
【００５１】
上述の如く、出席・小テスト管理サーバ(１)によって、学生からの解答メールに含まれる解答の正誤が判定されて小テストの採点が行なわれるので、教員が小テストの採点を行なう作業は不要である。
又、学生は、出席・小テスト管理サーバ(１)からの採点結果メールにより自己の解答の正誤を確認しつつ、満点となるまで小テストの問題を繰り返し解いて解答メールを出席・小テスト管理サーバ(１)に送信することが出来るので、高い学習効果を得ることが出来る。
更に、出席・小テスト管理サーバ(１)によって小テストの採点結果が集計されるので、教員が小テストの採点結果を集計する作業は不要であると共に、短時間でその集計結果を得ることが出来る。
更に又、テスト問題は、テスト用紙に記載されているので、学生は講義に出席していなければ小テストを受けることが出来ない。従って、学生が講義に出席していないにも拘わらず教室外から不正に出席の登録を行なった場合には、出席の登録はされているが、小テストデータベース(83)に学籍番号及び採点結果情報は格納されていないこととなり、教員は、上述の出席状況集計結果メールの内容と採点集計結果メールの内容とを比較することによって、学生の上記不正行為を発見することが出来る。
【００５２】
総合管理機能
教員は、中間テスト前や期末テスト前などに、出席状況を学生に知らせる。
図２４は、出席状況を学生に知らせるために教員と出席・小テスト管理サーバ(１)との間で行なわれる手続きを表わしており、ステップＳ２０にて、教員が例えばパーソナルコンピュータに対して出席状況・採点結果問合せコマンドメールを作成する操作及びメール送信操作を行なうことにより、該コマンドメールが教員のパーソナルコンピュータから出席・小テスト管理サーバ(１)へ送信される。ステップＳ２１では、出席・小テスト管理サーバ(１)により学生の出席状況が集計されると共に小テストの採点結果が集計されて、出席状況・採点集計結果メールが返信され、ステップＳ２２にて、該集計結果メールが教員のパーソナルコンピュータにて受信される。その後、ステップＳ２３では、教員により、その集計結果に基づいて、小テストの成績処理や学生毎に出席状況を通知するメールの作成処理が行なわれ、ステップＳ２４では、作成された出席状況通知メールが教員のパーソナルコンピュータから各学生の携帯電話機(２)に送信される。
【００５３】
図２５は、上記ステップＳ２１においてクロス集計プログラム(170)により実行される具体的手続きを表わしており、ステップＳ２１０にて、教員のパーソナルコンピュータからの出席状況・採点結果コマンドメールを受信すると、ステップＳ２１１にて出席データベース(81)から学籍番号及び出席情報を読み出した後、ステップＳ２１２にて、小テストデータベース(83)から学籍番号及び採点結果情報を読み出す。
次にステップＳ２１３では、名簿データベース(82)から学生の氏名及び座席番号を読み出し、ステップＳ２１４では、ステップＳ２１１〜Ｓ２１３にて読み出した情報に基づいて出席状況・採点集計結果メールを作成し、最後にステップＳ２１５では、作成した出席状況・採点集計結果メールを教員のパーソナルコンピュータに送信する。これによって教員のパーソナルコンピュータの画面には、図２６に示す如き内容の出席状況・採点集計結果メールが表示される。図２６に示す例では、学籍番号の小さい順に付与された連番、学籍番号、氏名、電子メールアドレス、各回の出席登録時刻、出席日数、各小テストの満点順位、満点回数、満点となっていないテストのテスト番号、各回の出席者合計人数、及び各小テストの満点到達者合計人数が表示される。
【００５４】
又、教員は、中間テスト前や期末テスト前などに、満点となっていない小テストの番号を学生に知らせる。
図２７は、満点となっていない小テストの番号を学生に知らせるために、教員と出席・小テスト管理サーバ(１)との間で行なわれる手続きを表わしており、ステップＳ２５にて、教員が例えばパーソナルコンピュータに対して出席状況・採点結果問合せコマンドメールを作成する操作及びメール送信操作を行なうことにより、該コマンドメールが教員のパーソナルコンピュータから出席・小テスト管理サーバ(１)へ送信される。ステップＳ２６では、出席・小テスト管理サーバ(１)により学生の出席状況が集計されると共に小テストの採点結果が集計されて、出席状況・採点集計結果メールが返信される。該ステップでは、上述のクロス集計プログラム(170)により図２５に示す手続きが実行される。
その後、図２７のステップＳ２７にて、前記集計結果メールが教員のパーソナルコンピュータにて受信され、ステップＳ２８では、教員により、その集計結果に基づいて、小テストの成績処理や学生毎に満点となっていない小テストの番号を通知するメールの作成処理が行なわれ、最後にステップＳ２９では、作成された出席状況通知メールが教員のパーソナルコンピュータから各学生の携帯電話機(２)に送信される。
【００５５】
アンケート集計機能
講義において、教員は、アンケート用紙を学生に配布してアンケートを実施する。
図２８は、学生と教員と出席・小テスト管理サーバ(１)との間で行なわれるアンケート実施手続きを表わしており、ステップＳ３０にて、教員が学生にアンケート用紙を配布して該アンケートに回答すべき指示を行ない、ステップＳ３１では、学生が携帯電話機(２)に対してアンケート回答メールを作成する操作及びメール送信操作を行なうことにより、該メールが学生の携帯電話機(２)から出席・小テスト管理サーバ(１)へ送信される。その後、ステップＳ３２では、出席・小テスト管理サーバ(１)からアンケート登録メール或いはエラーメールが学生の携帯電話機(２)に返信される。
【００５６】
図２９は、上記ステップＳ３２においてアンケート記録プログラム(150)により実行される具体的手続きを表わしており、ステップＳ３２０にて、学生の携帯電話機(２)からのアンケート回答メールを受信すると、ステップＳ３２１では、受信メールの解析を行なって、該受信メールからアンケート番号、回答、及び電子メールアドレスを抽出する。
次にステップＳ３２２では、メールの受信日付及び受信時刻をメモリ(５)に記録した後、ステップＳ３２３では、受信メールのデータ構成に基づいて、該メールの書式のチェックを行なう。その後、ステップＳ３２４では、受信メールの書式が正しいか否かを判断し、書式が誤っている場合には、ステップＳ３２５にてエラーメールを学生の携帯電話機(２)に返信して、手続きを終了する。
【００５７】
これに対し、受信メールの書式が正しい場合には、ステップＳ３２６にて、出席データベース(81)から前記抽出した電子メールアドレスを有する学生の学籍番号及び氏名を読み出した後、ステップＳ３２７では、アンケートデータベース(85)から前記抽出したアンケート番号を有するアンケートについての回答情報を読み出し、読み出した回答情報に前記抽出した電子メールアドレスが含まれているか否かにより回答の２重登録となるか否かのチェックを行なう。ステップＳ３２８では、前記アンケート番号を有するアンケートについての回答情報がアンケートデータベース(85)に登録されているか否かを判断し、登録されている場合には、ステップＳ３２５にてエラーメールを学生の携帯電話機(２)に返信して、手続きを終了する。
これに対し、前記回答情報が登録されていない場合には、ステップＳ３２９にてアンケート登録メールを学生の携帯電話機(２)に返信した後、ステップＳ３３０では、ステップＳ３２２にてメモリ(５)に記録したメール受信日付及び受信時刻と回答情報をアンケートデータベース(85)に格納して、手続きを終了する。
上記手続きによって、学生によるアンケートの回答が登録される。
【００５８】
その後、教員は、アンケートの回答集計結果を取得するための手続きを行なう。
図３０は、アンケートの回答集計結果の取得時に、教員と出席・小テスト管理サーバ(１)との間で行なわれる手続きを表わしており、ステップＳ３３にて、教員が携帯電話機(３)に対してアンケート回答問合せコマンドメールを作成する操作及びメール送信操作を行なうことにより、該コマンドメールが教員の携帯電話機(３)から出席・小テスト管理サーバ(１)へ送信される。ステップＳ３４では、出席・小テスト管理サーバ(１)によりアンケートの回答結果が集計されて、アンケート集計結果メールが教員の携帯電話機(３)及びアンケートに回答した学生の携帯電話機(２)に返信され、ステップＳ３５にて、該集計結果メールが教員の携帯電話機(３)にて受信される。その後、教員により、その集計結果に応じた講義が行なわれる。
【００５９】
図３１は、上記ステップＳ３４においてアンケート集計プログラム(160)により実行される具体的手続きを表わしており、ステップＳ３４０にて、教員の携帯電話機(３)からのアンケート回答問合せコマンドメールを受信すると、ステップＳ３４１では、受信メールからアンケート番号を抽出する。
続いてステップＳ３４２では、アンケートデータベース(85)から、前記抽出したアンケート番号を有するアンケートについての回答情報を読み出した後、ステップＳ３４３では、読み出した回答情報を設問毎に集計し、ステップＳ３４４では、全回答数、回答数の度数分布、平均値を求める統計処理を行ない、最後にステップＳ３４５では、ステップＳ３４４にて得られた結果に基づきアンケート集計結果メールを作成して教員の携帯電話機(３)及びアンケートに回答した学生の携帯電話機(２)に送信し、手続きを終了する。
【００６０】
図３２及び図３３はそれぞれ、本発明者が担当している科目「管理会計論」についての２００２年度及び２００３年度の学生の成績分布を表わしている。表中の「標語」は５段階の成績、「度数」は学生数、「割合」は全学生数に対する前記学生数の比率を表わしている。２００２年度は、後期にのみ本発明の出席登録プログラム(110)を利用して学生の出席をとり、小テストは教員が採点した。２００３年度は、前期及び後期共に本発明の出席登録プログラム(110)を利用して学生の出席をとり、本発明の小テスト採点プログラム(130)を利用して小テストの採点を行なった。２００２年度及び２００３年度で、講義内容、試験方法及び成績評価基準は同一である。
図３２及び図３３に示す如く、標語「５」の学生の割合が９％から５６％に大幅に増大する一方、標語「１」の学生の割合が１６％から５％に減少しており、このことから、本発明に係る教育支援システムによれば、学生の成績向上を図ることが出来ると言える。
【００６１】
又、本発明者は、上記科目「管理会計論」について２００２年度の後期(２００２年９月〜２００３年１月)と２００３年度の後期(２００３年９月〜２００４年１月)の出席率を下記数１によって算出した。尚、２００２年度の講義及び２００３年度の講義は共に、月曜日の２時限目に行なわれ、２００２年度の受講生は１３２名、２００３年度の受講生は８７名であった。
【００６２】
(数１)
出席率＝延べ出席者／延べ受講生
延べ出席者＝各回の出席者の合計数
延べ受講生＝１回以上出席した学生数・講義回数
【００６３】
２００２年度の出席率は５３％、２００３年度の出席率は７５％となり、このことから、本発明に係る教育支援システムによれば、講義に対する学生の満足度を向上させることが出来ると言える。
【００６４】
尚、本発明の各部構成は上記実施の形態に限らず、特許請求の範囲に記載の技術的範囲内で種々の変形が可能である。
例えば、上記実施の形態においては、図１２に示す如く、教員が出席・小テスト管理サーバ(１)に対してテスト番号及び正答を入力する操作を行なっているが、図３４に示す様に、教員が該入力操作を行なうことなく、作成された問題が自動的に問題データベースに格納されると共に該問題に対する正答が自動的に正答データベースに格納される小テスト作成プログラムの実現も可能である。該小テスト作成プログラムによれば、教員によるテスト番号及び正答の入力ミスを回避することが出来る。又、教員が自己のパーソナルコンピュータ或いは携帯電話機を用いて出席・小テスト管理サーバ(１)にアクセスすることにより小テストを作成することが可能な小テスト作成プログラムの実現も可能である。
又、上記実施の形態においては、本発明を大学等の教育機関における教育支援システムに実施しているが、企業においてパート従業員の教育を支援するシステムなど、種々の教育支援システムに実施することが可能である。
又、上記実施の形態においては、１科目の講義を対象として出欠管理機能、小テスト採点・管理機能及び総合管理機能につき説明しているが、複数科目の講義を対象としてこれらの機能を実現することも可能である。
更に、１人の教員による講義を対象として出欠管理機能、小テスト採点・管理機能及び総合管理機能につき説明しているが、複数人の教員による講義を対象としてこれらの機能を実現することも可能である。
更に又、ＡＳＰ(Application Service Provider)により図３に示す本発明の出席登録プログラム(110)、出席集計プログラム(120)、小テスト採点プログラム(130)、小テスト集計プログラム(140)、クロス集計プログラム(170)、アンケート記録プログラム(150)及びアンケート集計プログラム(160)をユーザに提供する運用形態を採用することも可能である。
【図面の簡単な説明】
【００６５】
【図１】本発明に係る教育支援システムの構成を表わしている。
【図２】上記教育支援システムの出席・小テスト管理サーバの機能構成を表わすブロック図である。
【図３】上記出席・小テスト管理サーバのハードウエア構成を表わすブロック図である。
【図４】座席表を表わす図である。
【図５】出席の登録を行なうための手続きを表わすフローチャートである。
【図６】出席登録プログラムによって実行される具体的手続きを表わすフローチャートである。
【図７】出席メールの書式が誤っていた場合に学生の携帯電話機の表示される画面例を表わす図である。
【図８】出席が登録されたときに学生の携帯電話機に表示される画面例を表わす図である。
【図９】出席状況の集計結果の取得時に行なわれる手続きを表わすフローチャートである。
【図１０】出席集計プログラムによって実行される具体的手続きを表わすフローチャートである。
【図１１】出席状況の集計結果の取得時に教員の携帯電話機に表示される画面例を表わす図である。
【図１２】小テストの問題を作成するための手続きを表わすフローチャートである。
【図１３】小テストの問題用紙の一例を表わす図である。
【図１４】小テストを実施する際の手続きを表わすフローチャートである。
【図１５】小テスト採点プログラムにより実行される具体的手続きを表わすフローチャートである。
【図１６】解答メールの書式が誤っていた場合に学生の携帯電話機に表示される画面例を表わす図である。
【図１７】小テストの得点が満点でない場合に学生の携帯電話機に表示される画面例を表わす図である。
【図１８】小テストを不正に受けた場合に学生の携帯電話機に表示される画面例を表わす図である。
【図１９】小テストが既に満点となっていた場合に学生の携帯電話機に表示される画面例を表わす図である。
【図２０】小テストが満点である場合に学生の携帯電話機に表示される画面例を表わす図である。
【図２１】小テストの採点集計結果の取得時に行なわれる手続きを表わすフローチャートである。
【図２２】小テスト集計プログラムにより実行される具体的手続きを表わすフローチャートである。
【図２３】小テストの採点集計結果の取得時に教員の携帯電話機に表示される画面例を表わす図である。
【図２４】出席状況を学生に知らせるために行なわれる手続きを表わすフローチャートである。
【図２５】クロス集計プログラムにより実行される具体的手続きを表わすフローチャートである。
【図２６】出席状況の集計結果及び小テストの採点集計結果の取得時に教員のパーソナルコンピュータに表示される画面例を表わす図である。
【図２７】満点となっていない小テストの番号を学生に知らせるために行なわれる手続きを表わすフローチャートである。
【図２８】アンケートを実施する際の手続きを表わすフローチャートである。
【図２９】アンケート記録プログラムにより実行される具体的手続きを表わすフローチャートである。
【図３０】アンケートの回答集計結果の取得時に行なわれる手続きを表わすフローチャートである。
【図３１】アンケート集計プログラムにより実行される具体的手続きを表わすフローチャートである。
【図３２】科目「管理会計論」についての２００２年度の学生の成績分布を表わす表である。
【図３３】科目「管理会計論」についての２００３年度の学生の成績分布を表わす表である。
【図３４】他の実施例の小テスト作成プログラムにより実行される具体的手続きを表わすフローチャートである。
【符号の説明】
【００６６】
(１)   出席・小テスト管理サーバ
(２)   携帯電話機
(３)   携帯電話機
(110)  出席登録プログラム
(120)  出席集計プログラム
(130)  小テスト採点プログラム
(140)  小テスト集計プログラム
(150)  アンケート記録プログラム
(160)  アンケート集計プログラム
(170)  クロス集計プログラム
(180)  小テスト作成プログラム
【図１】
2005258922.tif 000003
【図２】
2005258922.tif 000004
【図３】
2005258922.tif 000005
【図４】
2005258922.tif 000006
【図５】
2005258922.tif 000007
【図６】
2005258922.tif 000008
【図７】
2005258922.tif 000009
【図８】
2005258922.tif 000010
【図９】
2005258922.tif 000011
【図１０】
2005258922.tif 000012
【図１１】
2005258922.tif 000013
【図１２】
2005258922.tif 000014
【図１３】
2005258922.tif 000015
【図１４】
2005258922.tif 000016
【図１５】
2005258922.tif 000017
【図１６】
2005258922.tif 000018
【図１７】
2005258922.tif 000019
【図１８】
2005258922.tif 000020
【図１９】
2005258922.tif 000021
【図２０】
2005258922.tif 000022
【図２１】
2005258922.tif 000023
【図２２】
2005258922.tif 000024
【図２３】
2005258922.tif 000025
【図２４】
2005258922.tif 000026
【図２５】
2005258922.tif 000027
【図２６】
2005258922.tif 000028
【図２７】
2005258922.tif 000029
【図２８】
2005258922.tif 000030
【図２９】
2005258922.tif 000031
【図３０】
2005258922.tif 000032
【図３１】
2005258922.tif 000033
【図３２】
2005258922.tif 000034
【図３３】
2005258922.tif 000035
【図３４】
2005258922.tif 000036